(57)【特許請求の範囲】
【請求項１】
上下方向に延びる棒状の脚部本体を有し、
下方の端部が床面に接地する脚部を左右方向に離間した状態で一対のみ備え、
前記脚部本体に設けられ、前記脚部により前記床面よりも上方となるように支持される座部と、
前記脚部本体の上方の端部に設けられた背もたれ部と、
配線が接続され、前記背もたれ部の上方の端部に取付けられたコネクタ部と、
内部に前記配線が挿通可能であり、前記脚部の上方の端部の後方に左右方向に延びるように設けられたダクト部と
を備え、
前記脚部の下方の端部から前記背もたれ部の上方の端部までの上下方向の長さは７５０ｍｍ〜１０００ｍｍで、前記脚部の下方の端部から前記座部の上方の端部までの上下方向の長さが５００〜７００ｍｍであることを特徴とする椅子。
【請求項２】
前記背もたれ部は、
前記脚部本体よりも前方に配置された背受け部と、
前記背受け部の上方の端部から前記脚部本体よりも上方を通って後方に延びる肘受け部と、を有し、
前記肘受け部の後方の端部は前記脚部本体よりも後方に延び、前記ダクト部は、前記脚部本体の上方の端部に設けられ一対の前記脚部を接合する接続部材よりも後方であって前記肘受け部よりも下方に設けられていることを特徴とする請求項１に記載の椅子。
【請求項３】
前記脚部には、内部に前記配線が挿通可能であり、前記脚部に沿って前記脚部の下方の端部まで延びる配線カバーが設けられていることを特徴とする請求項１から２のいずれか一項に記載の椅子。
【発明の詳細な説明】
【技術分野】
【０００１】
本発明は、オフィスや病院等で使用される椅子に関する。
【背景技術】
【０００２】
従来、オフィスや病院等に椅子が設置され、使用者が休憩をとるのに利用されている。この種の椅子としては、例えば特許文献１に記載されたものが知られている。
【０００３】
特許文献１の立姿勢用シートである椅子は、棒状の座部と、この座部に対して略平行で所定の寸法だけ上方かつ後方に位置する棒状の支持部と、この座部及び支持部を支持するフレーム部とを備えている。座部は転倒可能な構造になっており、支持部の上方のフレーム部には手掛部材が掛け渡されている。
フレーム部は、座部及び支持部等を支持する連結部材と、脚部材とで構成されている。脚部材の下端は、床取付部材で床面に固着され、脚部材の側部は、壁取付部材によってシート取付レール等を介して側壁に固着されている。つまり、このフレーム部は、床及び壁を利用して片持状態で支持されている。
【０００４】
したがって、この椅子の座部を回転させて、座部及び支持部を利用して略立姿勢で着座することができる。支持部及び手掛部材は背もたれ部を構成していて、使用者は背もたれ部に背中をもたれかけることができる。
また、この椅子の近傍の人は、この椅子の手掛部材に手や肘を掛けることができる。
【先行技術文献】
【特許文献】
【０００５】
【特許文献１】特許第３５８６３００号公報
【発明の概要】
【発明が解決しようとする課題】
【０００６】
また、携帯可能な電子機器を持ち歩く人が増えてきている。この電子機器を、電力用や通信用のコネクタ部に接続して、電子機器の電源を確保したり外部の機器との間で通信したりすることが望まれている。特許文献１のような椅子にコネクタ部を設ける場合には、椅子に座った使用者からコネクタ部が目立つように、背もたれ部の上方の端部にコネクタ部を設けることが検討されている。
椅子の設計段階や使用段階等において、背もたれ部にコネクタ部を取付ける位置を、使用者に使いやすいように左右方向に調節することがある。しかしながら、コネクタ部には配線が接続されていて、コネクタ部を取付ける位置を調節するたびに配線の引き回し方法を検討するのは多大な労力を要する。
【０００７】
本発明は、このような問題点に鑑みてなされたものであって、背もたれ部にコネクタ部を取付ける位置を左右方向に調節しても、コネクタ部から延びる配線の引き回しが容易な椅子を提供することを目的とする。
【課題を解決するための手段】
【０００８】
上記課題を解決するために、この発明は以下の手段を提案している。
本発明の椅子は、上下方向に延びる脚部本体を有し、下方の端部が床面に接地する脚部を左右方向に離間した状態で一対のみ備え、前記脚部本体に設けられ、前記脚部により前記床面よりも上方となるように支持される座部と、前記脚部本体の上方の端部に設けられた背もたれ部と、配線が接続され、前記背もたれ部の上方の端部に取付けられたコネクタ部と、内部に前記配線が挿通可能であり、前記脚部の上方の端部の後方に左右方向に延びるように設けられたダクト部と、を備え、前記脚部の下方の端部から前記背もたれ部の上方の端部までの上下方向の長さは７５０ｍｍ〜１０００ｍｍで、前記脚部の下方の端部から前記座部の上方の端部までの上下方向の長さが５００〜７００ｍｍであることを特徴としている。
この発明によれば、コネクタ部にプラグ等の外部端子を接続する作業が椅子に座る使用者の顔に近い位置でできるため、作業性が良くなる。また、コネクタ部を取付ける位置の近くにダクト部が設けられるとともに、このダクト部が左右方向に延びている。したがって、コネクタ部を取付ける位置を左右方向に調節しても、ダクト部に配線を挿通して配線を左右方向に容易に引き回すことができる。
また、座部に短時間腰を掛けるのに適した椅子であることから、一定時間内により多く
の使用者が使用でき、椅子の使用者回転率を高めることができる。
【０００９】
また、上記の椅子において、前記脚部は、上下方向に延びる脚部本体を有し、前記背もたれ部は、前記脚部本体よりも前方に配置された背受け部と、前記背受け部の上方の端部から前記脚部本体よりも上方を通って後方に延びる肘受け部と、を有し、前記肘受け部の後方の端部は前記脚部本体よりも後方に延び、前記ダクト部は、前記脚部本体の上方の端部に設けられ一対の前記脚部を接合する接続部材よりも後方であって前記肘受け部よりも下方に設けられていることがより好ましい。
この発明によれば、背もたれ部を押す力を接続部材で支持して、この力がダクト部に作
用するのを抑えることができる。ダクト部を背もたれ部の近くに、椅子の外形が大きくな
るのを抑えてコンパクトに配置することができる。
【００１１】
また、上記の椅子において、前記コネクタ部の上方の端部の高さが、前記背もたれ部の上方の端部の高さにほぼ等しいことがより好ましい。
この発明によれば、コネクタ部が背もたれ部から見やすい位置となり、コネクタ部に外部端子を接続する作業がしやすい。
【００１４】
また、上記の椅子において、前記脚部には、内部に前記配線が挿通可能であり、前記脚部に沿って前記脚部の下方の端部まで延びる配線カバーが設けられていることがより好ましい。
この発明によれば、配線を床面近くまで配線カバーの内部で引き回すことができる。
【発明の効果】
【００１５】
本発明の椅子によれば、背もたれ部にコネクタ部を取付ける位置を左右方向に調節しても、コネクタ部から延びる配線の引き回しが容易になる。
【図面の簡単な説明】
【００１６】
【図１】本発明の一実施形態の椅子の斜視図である。
【図２】同椅子の側面図である。
【図３】同椅子の脚部本体に配線カバーを取付けた背面図である。
【図４】図３中の要部の断面図である。
【図５】同椅子の側面の断面図である。
【図６】同椅子の正面の一部を破断した図である。
【図７】同椅子の要部の側面の断面図である。
【図８】同椅子のコネクタ部周辺の斜視図である。
【図９】同椅子を使用者が使用している状態を示す斜視図である。
【図１０】本発明の変形例の実施形態の椅子の要部の断面図である。
【発明を実施するための形態】
【００１７】
以下、本発明に係る椅子の一実施形態を、椅子が、いわゆるハイシートベンチである場合を例にとって、図１から図９を参照しながら説明する。ハイシートベンチは、座部の位置が比較的高く、座部の上部から背もたれ部の上部までの長さが比較的短い椅子である。
図１及び２に示すように、本実施形態の椅子１は、下方の端部が床面Ｇに接地する一対の脚部１０と、脚部１０に設けられた座部２０と、脚部１０の上方の端部に設けられた背もたれ部４０と、脚部１０の上方の端部の後方に設けられたダクト部６０と、背もたれ部４０に取付けられたコネクタ部７０とを備えている。
【００１８】
脚部１０は、下方及び上方を含む上下方向Ｚに延びる棒状の脚部本体１１と、脚部本体１１の下方の端部に接合され上下方向Ｚに直交する前後方向Ｘに延びる脚支持部１２とを有している。前後方向Ｘのうちの一の方向が前方であり、他の方向が後方である。
脚部本体１１及び脚支持部１２には、例えば断面が矩形の角筒状の鋼管を好適に用いることができる。脚部本体１１は、脚支持部１２の後方の端部に溶接等により接合されている。脚支持部１２の前方の端部の下面、及び後方の端部の下面には、床面Ｇに接触する接触面１３ａを底面に有するアジャスタ１３がそれぞれ取付けられている。
脚支持部１２の前面及び後面には、脚支持部１２が壁面等に当たった時の傷付きを防止するための保護部材１２ａが取付けられている。保護部材１２ａは、樹脂やゴム等で形成することができる。
一対の脚部１０は、左右方向Ｙに離間した状態で配置されている。
【００１９】
図３及び４に示すように、各脚部本体１１の後面には、配線カバー１４が設けられている。配線カバー１４は、上下方向Ｚに見たときにコ字形に形成されたカバー本体１５と、カバー本体１５に脚部本体１１に向かって凹むように形成された凹部１６とを有している。
カバー本体１５は、脚部本体１１に沿って脚部本体１１の下方の端部まで延びている。カバー本体１５の内部には、コネクタ部７０の後述する配線７４が挿通可能である。凹部１６は、カバー本体１５に上下方向Ｚに間隔を開けて一対形成されている。凹部１６の底部には、公知のダルマ穴１６ａが形成されている。カバー本体１５は、例えば鋼板や樹脂等で形成することができる。
【００２０】
カバー本体１５の下方の端部における配線７４が挿通される内面には、カバー本体１５から外部に取出される配線７４の傷付き防止のために、フェルトやグロメットを取付けてもよい。
カバー本体１５は、脚部本体１１に取付けられたボルト１７を凹部１６のダルマ穴１６ａの幅広部に挿通し、ボルト１７の頭部をダルマ穴１６ａの幅狭部に係合させることで、脚部本体１１に取付けられている。
【００２１】
図５及び６に示すように、座部２０は、一対の脚部１０間に固定されたフレーム部２１と、フレーム部２１に取付けられたクッション部２２とを有している。
フレーム部２１は、左右方向Ｙに延びる左右フレーム２４と、左右フレーム２４から前方に延びる前後フレーム２６、２７とを有し、全体として櫛歯状に形成されている。
左右フレーム２４は、前述の鋼管を用いて形成することができる。左右フレーム２４は、一対の脚部１０の脚部本体１１間に配置され、各端部が脚部本体１１に溶接等により接合されている。
前後フレーム２６は、ウェブ２８の上方、下方の端部にフランジ２９、３０を取付けて構成されている。フランジ２９には、上下方向に貫通する図示しない貫通孔が形成されている。
前後フレーム２７は、前後方向Ｘに見たときにコ字形に形成され、左右フレーム２４の両端部に取付けられている。前後フレーム２６、２７は例えば鋼板で形成され、左右フレーム２４に溶接等により接合されている。
【００２２】
クッション部２２は、合板３２と、合板３２上に配置された硬質クッション層３３と、硬質クッション層３３上に配置された軟質クッション層３４とを備えている。
合板３２は、複数の単板を繊維方向が互い違いになるように重ねたものである。合板３２は、上下方向Ｚにほぼ直交する方向に延びる板状に形成され、下面の中央部に凹部３２ａが形成されている。合板３２には図示しないナットが埋め込まれている。硬質クッション層３３、軟質クッション層３４としては、例えばチップウレタン、発泡ウレタンをそれぞれ用いることができる。クッション部２２の前面、上面、及び後面は、図示はしないが防水性を有し、意匠性の高いカバーで覆われている。硬質クッション層３３は合板３２よりも上方に配置され、軟質クッション層３４は硬質クッション層３３よりも上方に配置されている。本実施形態では、クッション部２２は左右方向Ｙに３つに分割されている（図１参照）。
【００２３】
フランジ２９の貫通孔に挿通させたボルト３６のネジ部を合板３２のナットに係合させることで、フレーム部２１の上方にクッション部２２が取付けられる。
前後フレーム２７は、クッション部２２を下方から支持している。
このように構成された座部２０は、脚部本体１１に左右フレーム２４が接合されることで、床面Ｇ上に配置されたときに脚部１０により床面Ｇよりも上方となるように支持される。
【００２４】
背もたれ部４０は、図５及び７に示すように、脚部１０の脚部本体１１の上方の端部に接合された接続フレーム（接続部材）４１と、脚部１０の脚部本体１１よりも前方に配置された背受け部４２と、背受け部４２の上方の端部から脚部本体１１よりも上方を通って後方に延びる肘受け部４３と、ダクト部６０を覆う蓋部４４とを有している。
接続フレーム４１は、前述の鋼管を用いて形成することができ、左右方向Ｙに延びている。接続フレーム４１は、各脚部１０の脚部本体１１を接合している。接続フレーム４１には、図示しない貫通孔が形成されている。
【００２５】
背受け部４２は、合板４７と、合板４７上に配置された硬質クッション層４８とを備えている。硬質クッション層４８の前面４８ａは、上方に向かうにしたがって後方に向かうように傾斜した斜面になっている。合板４７、硬質クッション層４８は、前述の合板３２、硬質クッション層３３と同じ材料でそれぞれ形成することができる。硬質クッション層４８は合板４７よりも前方に配置されている。
【００２６】
肘受け部４３は、合板５１と、合板５１上に配置された硬質クッション層５２とを備えている。硬質クッション層５２の上面５２ａは、前後方向Ｘ及び左右方向Ｙに延びる平坦面である。合板５１、硬質クッション層５２は、前述の合板３２、硬質クッション層３３と同じ材料でそれぞれ形成することができる。硬質クッション層５２は、合板５１よりも上方に配置されている。
合板５１、及び前述の合板４７には図示しないナットが埋め込まれている。本実施形態では、背受け部４２及び肘受け部４３は左右方向Ｙに３つに分割されている（図１参照）。
このように、背もたれ部４０は、合板４７、５１、及び硬質クッション層４８、５２を有する２層構造となっている。
【００２７】
図８に示すように、肘受け部４３の左右方向Ｙの端部であって後方の端部に、切欠き４３ａが形成されている。左右方向Ｙに隣り合う肘受け部４３の切欠き４３ａが連なる部分に、後述するようにコネクタ部７０が取付けられている。図５は、ダクト部６０における肘受け部４３の切欠き４３ａが形成されていない部分での断面図であり、図７は、ダクト部６０における肘受け部４３の切欠き４３ａが形成されている部分での断面図である。
【００２８】
図７及び８に示すように、蓋部４４は、中央に開口５５ａが形成された蓋部本体５５と、蓋部本体５５の後方の端部が下方にコ字形に折れ曲がることで形成されたフランジ部５６とを有している。開口５５ａの縁部には、下方に段付けされることで段部５５ｂが形成されている。
蓋部４４は、ダクト部６０の後述する補強部材６４等に、ビス止めや溶接等により接合されている。
【００２９】
ダクト部６０は、図５及び７に示すように、接続フレーム４１の下面に接合された底板６１と、底板６１の後方の端部から上方に延びる背板６２とを備えている。背板６２は、接続フレーム４１よりも後方に配置されている。底板６１及び背板６２は、例えば鋼板をプレス加工することで一体に形成されている。
底板６１及び背板６２は、左右方向Ｙに延びている。接続フレーム４１及びダクト部６０により、ダクト部６０の上部に開口６０ａが形成される。
【００３０】
図５及び８に示すように、接続フレーム４１の後面には、Ｌ字形の補強部材６４の一方の腕部６４ａが接合されている。補強部材６４の他方の腕部６４ｂには、上下方向Ｚに貫通する貫通孔６４ｃが形成されている。
接続フレーム４１の貫通孔及び補強部材６４の貫通孔６４ｃに挿通させたボルト６６のネジ部を合板４７、５１のナットに係合させることで、接続フレーム４１、補強部材６４に背受け部４２、肘受け部４３が取付けられる。
このようにして、肘受け部４３に切欠き４３ａが形成されていない部分における開口６０ａは肘受け部４３で覆われている。そしてこのダクト部６０の内部に、配線７４が挿通される。
このように、ダクト部６０は、左右方向Ｙに延びている。ダクト部６０は、脚部本体１１の上方の端部の後方、より詳しくは、接続フレーム４１よりも後方であって肘受け部４３よりも下方に設けられている。
【００３１】
図２に示すように、ハイシートベンチである椅子１において、肘受け部４３の後方の端部は、脚部１０の脚部本体１１よりも後方に延びている。脚部１０の脚支持部１２の後方の端部（脚部１０の下方の端部、保護部材１２ａの後面）よりも背もたれ部４０の肘受け部４３の方が後方に長さＬ１突出している。
背もたれ部４０は座部２０よりも上方に突出している。座部２０は背もたれ部４０よりも前方に突出している。脚部１０の下方の端部から背もたれ部４０の上方の端部までの上下方向Ｚの長さＬ２は、脚部１０の下方の端部から座部２０の上方の端部までの上下方向Ｚの長さＬ３の２倍以下である。より具体的には、背もたれ部４０の上方の端部までの長さＬ２は７５０ｍｍ〜１０００ｍｍが好ましく、座部２０の上方の端部までの長さＬ３は５００ｍｍ〜７００ｍｍが好ましい。
【００３２】
図７及び８に示すように、コネクタ部７０は、箱状に形成されて一方の面か開口するケース７１を有している。このケース７１の開口を囲む外周面には、フランジ７２が形成されている。ケース７１内には、一対のコンセント７３ａを有する公知のコンセントユニット７３が配置されている。コンセント７３ａはコンセントユニット７３の上面に配置され、外部に露出している。コンセントユニット７３には、配線７４が接続されている。配線７４のコンセントユニット７３とは反対側の端部には、図示しないプラグが設けられている。
ケース７１とコンセントユニット７３との間には、ケース７１から突没可能とされた公知の構成のカバー（不図示）が配置されている。
このカバーは、ケース７１内に収容されたときにコンセントユニット７３のコンセント７３ａを覆わない。一方で、カバーをケース７１から突出させカバーの端部の回転軸周りに回転させることで、コンセント７３ａをカバーで覆うことができる。
【００３３】
コネクタ部７０は、蓋部４４の段部５５ｂにケース７１のフランジ７２が係合した状態で、ビス止めや爪嵌合等により蓋部４４に取付けられている。コンセント７３ａは、コネクタ部７０の上面に配置されている。コネクタ部７０の上方の端部、すなわちコンセント７３ａが設けられている面の高さは、背もたれ部４０の上方の端部である上面５２ａの高さにほぼ等しい（等しいも含む）。
このようにして、肘受け部４３に切欠き４３ａが形成された部分における開口６０ａは、蓋部４４及びコネクタ部７０で覆われている。
【００３４】
このように、コネクタ部７０は背もたれ部４０の上方の端部であって、ダクト部６０の近くに取付けられている。コネクタ部７０の配線７４は、ダクト部６０に挿通されることで、椅子１の左右方向Ｙの端部に引き回される。配線カバー１４に挿通されることで、ダクト部６０から椅子１の下方の端部に引き回される。
【００３５】
このように構成された椅子１を製造するときには、例えばダクト部６０に配線７４を挿通させた後で、蓋部４４にコネクタ部７０を取付ける。コネクタ部７０を取付ける位置を左右方向Ｙにずらしても、ダクト部６０が左右方向Ｙに延びているため、コネクタ部７０をずらした位置から配線７４を左右方向Ｙに引き回すことは容易である。
脚部本体１１に配線カバー１４を取付ける前に、配線カバー１４内に配線７４を挿通させる。配線カバー１４のボルト１７に配線カバー１４のダルマ穴１６ａを係合させ、脚部本体１１に配線カバー１４を取付ける。
【００３６】
このように構成されたハイシートベンチである椅子１は、例えば病院の待合室等に設置される。室内の床面Ｇに設けられた図示しないコネクタ装置に配線７４のプラグを差し込む。配線７４はダクト部６０及び配線カバー１４により椅子１の下方まで引き回されているため、外部に露出する配線７４の長さが短くなる。
待合室には、図２中の拡大図に示すように、床面Ｇと壁面Ｗとの接続部に、埃や塵が溜まらないようにＲ幅木Ｗ１０が設けられている場合がある。
この場合であっても、前述の脚支持部１２よりも後方に肘受け部４３が突出する長さＬ１をＲ幅木Ｗ１０の幅（壁面Ｗから突出する長さ）よりも長くすることで、壁面Ｗに肘受け部４３が接触したときに、Ｒ幅木Ｗ１０の下方の端部に脚支持部１２が干渉しにくくなる。
【００３７】
図９に示すように、使用者Ｐは、椅子１の座部２０に腰Ｐ１を掛け、背もたれ部４０の背受け部４２の前面４８ａに背中Ｐ２をもたれかけ、肘受け部４３の上面５２ａに肘Ｐ３を乗せる。使用者Ｐが背もたれ部４０の前面４８ａや上面５２ａを押す力は、背もたれ部４０が取付けられた接続フレーム４１で支持される。肘受け部４３の上面５２ａは前後方向Ｘ及び左右方向Ｙに延びる平坦面であるため、上面５２ａに肘を掛けたときに、肘受け部４３から受ける反力が肘Ｐ３に平面的に作用する。
略立姿勢で着座するため、使用者Ｐが座部２０に腰Ｐ１を掛ける時間は比較的短時間となる。
使用者Ｐは、図示しない電子機器のプラグを椅子１のコネクタ部７０のコンセント７３ａに差し込み、電子機器に電力を供給する。コネクタ部７０は背もたれ部４０の上方の端部に取付けられているため、座部２０に腰Ｐ１を掛けた使用者Ｐの顔とコネクタ部７０との距離が比較的短い。
このとき、配線７４は配線カバー１４等に挿通されて引き回されているため、使用者Ｐが椅子１の座部２０、背もたれ部４０、及びコネクタ部７０を使用する際に配線７４が支障とならない。
コネクタ部７０を使用しないときには、ケース７１からカバーを引き出し、コンセント７３ａをカバーで覆う。
【００３８】
以上説明したように、本実施形態の椅子１によれば、コネクタ部７０を取付ける位置の近くにダクト部６０が設けられるとともに、このダクト部６０が左右方向Ｙに延びている。したがって、コネクタ部７０を取付ける位置を左右方向Ｙに調節しても、ダクト部６０に配線７４を挿通して配線７４を左右方向Ｙに容易に引き回すことができる。
ダクト部６０は、接続フレーム４１よりも後方であって肘受け部４３よりも下方に設けられている。これにより、背もたれ部４０を押す力を接続フレーム４１や脚部１０で支持して、この力がダクト部６０に作用するのを抑えることができる。ダクト部６０を背もたれ部４０の近くに、椅子１の外形が大きくなるのを抑えてコンパクトに配置することができる。
【００３９】
コネクタ部７０が背もたれ部４０の上方の端部に取付けられているため、コネクタ部７０にプラグを接続する作業が椅子１に座る使用者Ｐの顔に近い位置ででき、作業性が良くなる。
コンセント７３ａが設けられている面の高さは、背もたれ部４０の上面５２ａの高さにほぼ等しい。したがって、コネクタ部７０が背もたれ部４０から見やすい位置となり、コネクタ部７０にプラグを接続する作業がしやすい。
脚部１０の下方の端部から背もたれ部４０の上方の端部までの上下方向Ｚの長さＬ２は、脚部１０の下方の端部から座部２０の上方の端部までの上下方向Ｚの長さＬ３の２倍以下である。これにより、座部２０に短時間腰Ｐ１を掛けるのに適した椅子１であることから、一定時間内により多くの使用者Ｐが使用でき、椅子１の使用者回転率を高めることができる。
【００４０】
脚部１０の下方の端部よりも背もたれ部４０の方が、後方に長さＬ１突出している。これにより、壁面Ｗに背もたれ部４０を接触させたときに、Ｒ幅木Ｗ１０の下方の端部に脚部１０の下方の端部が干渉するのを抑制することができる。
脚部１０に配線カバー１４が設けられているため、配線７４を床面Ｇ近くまで配線カバー１４の内部で引き回すことができる。コネクタ部７０に電力を供給するコネクタ装置が床面Ｇに設けられている場合には、外部に露出する配線７４の長さを短くできる。
コネクタ部７０がカバーを備えることで、コンセント７３ａに埃や塵が付着するのを抑制することができる。
【００４１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記実施形態では、図１０に示すように、椅子１Ａが前記実施形態の椅子１の各構成に対して肘受け部４３を備えないように構成してもよい。この場合、ダクト部６０の開口６０ａは、補強部材６４に取付けられた蓋部８１で覆われている。
【００４２】
前記実施形態では、椅子１の座部２０のフレーム部２１が櫛歯状に形成されるとともに、背もたれ部４０が２層構造であるとした。しかし、フレーム部及び背もたれ部の構成はこれに限られない。例えば、フレーム部は、前述の左右フレーム２４と、左右フレーム２４の前方に配置された第二の左右フレームと、左右フレーム２４及び第二の左右フレームの端部にそれぞれ接合された一対の前後フレームにより、全体として矩形状に形成してもよい。
背もたれ部の背受け部４２が硬質クッション層４８上に配置された軟質クッション層を備えるとともに、肘受け部４３が硬質クッション層５２上に配置された軟質クッション層を備えてもよい。この場合、背もたれ部は、合板４７、５１、硬質クッション層４８、５２、及び軟質クッション層を有する３層構造となる。
【００４３】
前記第１実施形態及び第２実施形態ででは、コネクタ部７０はコンセント７３ａを有す
るとした。しかし、コネクタ部が、ＬＡＮ（Ｌｏｃａｌ  Ａｒｅａ  Ｎｅｔｗｏｒｋ）コ
ネクタやＵＳＢ（Ｕｎｉｖｅｒｓａｌ  Ｓｅｒｉａｌ  Ｂｕｓ）コネクタ等のような通信
用のコネクタを有するとしてもよい。
配線７４のコネクタ部７０とは反対側の端部に、プラグに代えて、太陽光発電パネル、
充電池、ワイヤレス給電装置等を接続してもよい。このように構成することで、本発明の
椅子をコネクタ装置に接続することなく、コネクタ部７０に接続した電子機器に電力を供
給することができる。
【符号の説明】
【００４４】
１、１Ａ  椅子
１０  脚部
１１  脚部本体
１４  配線カバー
２０  座部
４０  背もたれ部
４１  接続フレーム（接続部材）
４２  背受け部
４３  肘受け部
６０  ダクト部
７０  コネクタ部
７４  配線
Ｇ    床面
Ｌ２、Ｌ３  長さ
Ｙ    左右方向
Ｚ    上下方向
【図１】
0006781531.tif 000002
【図２】
0006781531.tif 000003
【図３】
0006781531.tif 000004
【図４】
0006781531.tif 000005
【図５】
0006781531.tif 000006
【図６】
0006781531.tif 000007
【図７】
0006781531.tif 000008
【図８】
0006781531.tif 000009
【図９】
0006781531.tif 000010
【図１０】
0006781531.tif 000011